(57)【要約】      （修正有）【課題】オーブンドアの急激なまたは過度な解放を防止すると共に庫内でスライドする調理ラックの引き出し、収納動作との連係をとるオーブンドアの開閉装置を提供すること。【解決手段】オーブンのドア開閉装置は、オーブン本体と、所定回転軸を中心に回転し、オーブン本体の内部を開閉するドアと、オーブン本体の内部でスライドするラックと、ドアの回転運動をラックのスライド運動に転換するリンク部と、リンク部による運動の転換を制限して、ドアの回転角度を所定範囲内に制限するストッパーと、を含んで構成される。【選択図】図２
2007085722.tif 000002
【特許請求の範囲】
【請求項１】
オーブン本体と、
所定回転軸の周りを回転する前記オーブン本体の内部を開閉するためのドアと、
前記オーブン本体の内部からスライドするラックと、
前記ドアの回転を前記ラックのスライドに変換するリンク部と、
前記ラックのスライドを制限して、前記ドアの回転を所定角度範囲内に制限するストッパーと、
を含むことを特徴とするオーブンのドア開閉装置。
【請求項２】
前記ストッパーは、前記オーブン本体と前記ラックに形成され、互いに係合する２つの部分を具備することを特徴とする請求項１に記載のオーブンのドア開閉装置。
【請求項３】
前記ドアの所定回転角度範囲内の終着回転角度に対応する前記ラックのスライド距離の終着スライド点で、前記ストッパーが作動することを特徴とする請求項１に記載のオーブンのドア開閉装置。
【請求項４】
前記ストッパーは、前記オーブン本体から突出する制止突起と、前記ラックに形成される折曲部を具備する、ことを特徴とする請求項１に記載のオーブンのドア開閉装置。
【請求項５】
前記ストッパーが、前記ラックのスライド時の突出距離を制限することを特徴とする請求項１に記載のオーブンのドア開閉装置。
【請求項６】
前記リンク部は、ギア比の異なる複数のギアを含むことを特徴とする請求項１に記載のオーブンのドア開閉装置。
【請求項７】
前記複数のギアは、前記ラックに形成されるラックギアと、前記ラックギアとかみ合う第１従動ギアと、前記第１従動ギアとかみ合う第２従動ギアと、前記第２従動ギアとかみ合い、前記回転軸と連動する駆動ギアと、を含むことを特徴とする請求項６に記載のオーブンのドア開閉装置。
【請求項８】
前記ドアの回転変位の角度が所定角度に到達した際に前記ドアが停止するように、前記ラックの突出距離が制限されることを特徴とする請求項１に記載のオーブンのドア開閉装置。
【請求項９】
前記ドアが停止する所定角度は、実質的に１８０゜であることを特徴とする請求項８に記載のオーブンのドア開閉装置。
【請求項１０】
前記ドアは、前記オーブン本体の側部で回転することを特徴とする請求項１に記載のオーブンのドア開閉装置。
【発明の詳細な説明】
【技術分野】
【０００１】
本発明は、オーブンに関し、より詳しくは、オーブンのドア開閉装置に関する。
【背景技術】
【０００２】
一般に、オーブンに取り付けられるドアは、ドアの形態を維持する金属製のドアフレームと、複数のドアグラスと、ドアフレームをドアグラスに固定するブラケットと、などで構成される。
【０００３】
上記のように構成されるドアは、その重さが数キログラム乃至数十キログラムもある。したがって、ドアの開放の際、その開放方向に位置する他の品物または人にぶつかり、品物または人を傷付けるおそれがある。
【発明の開示】
【発明が解決しようとする課題】
【０００４】
本発明は、従来技術の欠点、欠陥による１つまたはそれ以上の問題を防ぐことのできるオーブンのドア開閉装置を目指すものである。
【０００５】
本発明は、オーブンのドアを開放する際に、そのドアの回転開放の変位を制御することができる電気オーブンのドア開閉装置を提供することを目的とする。
【０００６】
本発明の他の利点、目的、及び、特徴は以下の記載に示され、当業者は以下を検討することにより理解され、あるいは、本発明の実施から学ぶことができるであろう。本発明の目的と他の利点は、特に、記載された説明、請求の範囲、ならびに、図面に指摘されている構造によって、実現され得られるであろう。
【０００７】
これらの目的及び他の利点を得るために、また、本発明の目的にしたがって、実施され、広く記載されたように、オーブンのドア開閉装置が提供され、それは、オーブン本体と、所定回転軸周りを回転するオーブン本体の内部を開閉するドアと、オーブン本体の内部からスライドするラックと、ドアの回転をラックのスライドに変換するリンク部と、ドアの回転を所定の角度範囲内に制限するべくラックのスライドを制限するためのストッパーと、を含んでいる。
【０００８】
本発明の他の態様によれば、オーブン本体と、所定回転軸周りを回転し、オーブン本体の内部を開閉するドアと、オーブン本体の内部からスライドするラックと、ドアの回転をラックのスライドに変換するためのリンク部と、オーブン本体とラックにそれぞれ形成され互いに係合してドアの回転とラックのスライドを停止させるための２つの部分を含むストッパーと、を含むドア開閉装置が提供される。
【０００９】
本発明の更なる態様によれば、オーブン本体と、所定回転軸周りを回転し、オーブン本体の内部を開閉するドアと、オーブン本体の内部からスライドするラックと、ドアの回転軸と連動する駆動ギア及び駆動ギアと連動してドアの回転に応じてラックをスライドさせる従動ギア集合体を含むリンク部と、オーブン本体とラックにそれぞれ形成されて互いに係合して、ドアの回転とラックのスライドを停止させるための２つの部分を含むストッパーと、を含むドア開閉装置が提供される。
【００１０】
本発明によるオーブンのドア開閉装置は、ドアの回転軌跡内の品物または人を、ドアの急なまたは過度な開放により傷付けることを防止するためにスライドするラックの突出距離を制限して、ドアの回転運動を調節する。
【００１１】
また、本発明によるオーブンのドア開閉装置によれば、リンク部によりドアに連結されたラックをドアの回転の際に、自動的にスライドすることを可能としており、それにより使用者のラックに対する改善された接近性とそれに伴う便宜性が提供される。
【００１２】
上記の本発明の概略的な説明および以下の詳細な説明は、例示的なもの、また、説明的なものであり、請求項に記載された発明の更なる説明を提供を意図するものであることを理解されたい。
【発明を実施するための最良の形態】
【００１３】
以下、本発明の好ましい実施の形態を詳細に説明するが、それらは添付の図面に図示されている。同一、あるいは、同種の部品には同じ参照番号を付与してある。
【００１４】
図１は、本発明に係るドア開閉装置が適用されたオーブンを概略的に示す斜視図である。
【００１５】
図１に示すように、本発明に係るオーブン１００は、内部に飲食物の調理空間である空間１０１を画成するオーブン本体１１０と、空間１０１を開閉するドア１２０とを含む。空間１０１には、飲食物が入っている食器類が置かれるラック１３０が設けられる。そして、オーブン本体１１０の内面の一つに、ラック１３０の運動を制限する制止突起１１１が形成される。
【００１６】
ドア１２０は、オーブン本体１１０の側部において回転する。すなわち、横に回転して開く。上記の方式で回転すれば、使用者が開放された空間１０１へ容易に近付くことができ、ラック１３０への食器類の上げ下ろしなどの作業を容易に行うことができる。
【００１７】
ラック１３０は、オーブン本体１０１から後→前方向に、及び、その逆に、スライドして、ラック１３０上に置かれる食器類に使用者が容易に近付くことができる。
【００１８】
制止突起１１１は、ラック１３０を外側への最大のスライドの点に制止せしめる点に配置されるが、ラックのスライド距離はドア１２０の回転角度に対応する。上記のように配置されることにより、制止突起１１１がラック１３０のスライド運動を制限し、ドア１２０の変位が調節される。
【００１９】
本発明では、ラック１３０のスライド運動と、ドア１２０の回転運動が、リンク部１４０(図２)により連係され、ドア１２０の変位を制限することが可能である。これについては後述する。
【００２０】
図２は、本発明に係るドア開閉装置を示す斜視図であり、図３は、図２に示されたドア開閉装置の側面図である。
【００２１】
図２、３を参照すると、本発明に係るドア１２０の開閉装置は、リンク部１４０により、ラック１３０のスライド運動とドア１２０の回転運動を連係せしめている。
【００２２】
ラック１３０には、食器類が置かれる水平部１３２と、水平部１３２から折曲する折曲部１３１とを含む。
【００２３】
リンク部１４０は、ラック１３０の水平部１３２の下部に配置されたラックギア１４１と、ラックギア１４１とかみ合う第１従動ギア１４２と、第１従動ギア１４２とかみ合う第２従動ギア１４３と、第２従動ギア１４３とかみ合う駆動ギア１４４とを含む。
【００２４】
駆動ギア１４４は、ドアギア１２０の回転軸に結合されて、回転軸と共に回転する。ラックギア１４１、第１従動ギア１４２、第２従動ギア１４３及び/または駆動ギア１４４は、異なるギア比を有して形成され、ラック１３０のスライドによる突出距離と、ドア１２０の回転開放運動の変位を調節することができる。
【００２５】
制止突起１１１がオーブン本体１１０の内壁から所定長さで突出して形成される。制止突起１１１は、ラック１３０が前方に移送されるとき折曲部１３１に係合し、ラック１３０のスライド運動を停止させる。すなわち、制止突起１１１は、ラック１３０のスライドによる突出距離を制限する。上記のように、制止突起１１１によりラック１３０のスライド運動が停止されると、リンク部１４０によりラック１３０と連係するドア１２０の回転が停止される。これによって、ドア１２０の回転開放運動の変位が調節できるが、これに対しては後述する。
【００２６】
一方、ドア１２０がオーブン１００の周辺に配置されたほかの品物または人を傷付けないように、ドア１２０の回転、開放の範囲は１８０゜に調節されるであろう。
【００２７】
図４乃至図６は、本発明に係るドア開閉装置の作動を説明する図面である。
図４は、本発明に係るドア開閉装置において、ドアが約９０゜開放された状態を示す側面図であり、図５は、本発明に係るドア開閉装置において、ドアが約１８０゜開放された状態を示す側面図であり、図６は、図５に示された状態の平面図である。
【００２８】
以下、図４乃至図６を参照して、本発明に係るドア開閉装置の作動の詳細を説明する。
まず、図４に示すように、使用者がドア１２０に外力を与えて回転させると、ドア１２０の回転軸と結合された駆動ギア１４４が回転する。そこで、駆動ギア１４４とかみ合う第２従動ギア１４３が回転し、第２従動ギア１４３とかみ合う第１従動ギア１４２が連鎖的に回転する。そこで、第１従動ギア１４２とかみ合うラックギア１４１が前方に移動する。上記のようなリンク部１４０の作動により、ラックギア１４１を形成するラック１３０が前方にスライドする。
【００２９】
このように、図５及び図６に示すように、ラック１３０が所定距離スライドして突出すると、それは制止突起１１１において折曲部１３１が係合する。そこで、ラック１３０のスライド運動が停止される。上記のようにラック１３０のスライドが停止すると、ラックギア１４１の運動も停止する。そして、ラックギア１４１と連結された第１従動ギア１４２、第２従動ギア１４３及び駆動ギア１４４の運動が停止する。上記のようにリンク部１４０の作動が停止すると、それと結合したドア１２０の回転軸の回転が停止して、ドア１２０の回転が停止する。
【００３０】
上記のような作動によれば、ラック１３０のスライドによる突出距離の制限によって、ドア１２０の回転開放運動の変位が調節できる。ここで、ドア１２０の回転開放運動の変位は、オーブン１００周辺の他の品物または人を傷つけないように、約１８０゜の範囲内にすることができる。
【００３１】
ここで、制止突起１１１と、折曲部１３１は、ラック１３０のスライド運動の範囲を制限するストッパーとして定義することができる。
【００３２】
上記の実施例では、制止突起１１１がオーブン本体１１０の内部に形成され、制止突起１１１に係合する折曲部１３１が、ラック１３０に形成されると提示されているが、これは例示的なものである。すなわち、ラック１３０の動作範囲を制限するように、オーブン本体１１０と、ラック１３０に形成される種々の制止構造を形成することが可能である。
【００３３】
上記のように構成される本発明に係るオーブンのドア開閉装置によれば、オーブン周辺の他の品物または人が、ドアの急なまたは過度な開放により傷つくことを防止するべく、ラックのスライドによる突出距離を制限して、ドアの回転運動の変位を調節することができる。
【００３４】
また、本発明のオーブンのドア開閉装置によれば、ドアの回転の際に、リンク部によりドアに連結されたラックが自動的に外側にスライドして、使用者のラックに対する改善された接近性及び便宜性が提供される。
【００３５】
本発明の属する技術の分野における通常の知識を有する者であれば、本発明の範囲内で、様々な変形、変更が可能であることは明らかであろう。本発明は変形、変更が請求項、および、その均等物の範囲内にある限り、それらを含むことを意図するものである。
【図面の簡単な説明】
【００３６】
添付の図面は、本発明のさらなる理解のためのものであって、本発明に組み込まれており、本発明の一部を成すものであり、本発明の実施形態を図示するが、明細書と共に本発明の本質を説明する役割を担っている。
【図１】本発明に係るドア開閉装置が適用されたオーブンを概略的に示す斜視図である。
【図２】本発明に係るドア開閉装置を示す斜視図である。
【図３】図２に示されたドア開閉装置の側面図である。
【図４】本発明に係るドア開閉装置において、ドアが約９０゜開放された状態を示す側面図である。
【図５】本発明に係るドア開閉装置において、ドアが約１８０゜開放された状態を示す側面図である。
【図６】図５に示された状態の平面図である。
【符号の説明】
【００３７】
１００    オーブン
１０１    空間
１１０    オーブン本体
１１１    制止突起
１２０    ドア
１３０    ラック
１３１    折曲部
１３２    水平部
１４０    リンク部
１４１    ラックギア
１４２    第１従動ギア
１４３    第２従動ギア
１４４    駆動ギア
【図１】
2007085722.tif 000003
【図２】
2007085722.tif 000004
【図３】
2007085722.tif 000005
【図４】
2007085722.tif 000006
【図５】
2007085722.tif 000007
【図６】
2007085722.tif 000008
【外国語明細書】
2007085722000001.pdf